(57)【要約】      （修正有）【課題】収容効率の向上を図り、かつ収納ケースによって必要な物を明確に区別して収納することを可能にするランドセルを提供する。【解決手段】主収容部としての大襠部と、この大襠部の前側に設けられた副収容部としての小襠部と、この小襠部の前側に設けられた前段ポケット３とを備えたランドセルにおいて、大襠部と小襠部とを一体化することによって、一つの箱状に形成された大容量大襠部４を構成してなり、大容量大襠部４への挿入及び大容量大襠部４からの取り出しが可能な収納ケースを備えた構成になっている。【選択図】図１
0003172831.tif 000002
【実用新案登録請求の範囲】
【請求項１】
主収容部としての大襠部と、この大襠部の前側に設けられた副収容部としての小襠部とを備えたランドセルにおいて、
前記大襠部と前記小襠部とを一体化して一つの箱状の大容量大襠部を構成してなり、
前記大容量大襠部に、当該大容量大襠部から取り出し可能に収納ケースを設けたことを特徴とするランドセル。
【請求項２】
前記収納ケースは、開閉可能に構成されていると共に、閉じた状態において四角形状の板状に構成されており、当該閉じた状態で前記大容量大襠部内に収容された状態において当該大容量大襠部内を前後方向に仕切るように、当該閉じた状態の縦、横及び厚さの各寸法が設定されていることを特徴とする請求項１に記載のランドセル。
【請求項３】
前記収納ケースは、少なくとも一のＡ４サイズのノートを収納可能なように閉じた状態の縦、横及び厚さの各寸法が設定されていることを特徴とする請求項１又は２に記載のランドセル。
【請求項４】
前記収納ケースは、収納された物を外から視認可能な部材によって形成されていることを特徴とする請求項１〜３の何れかに記載のランドセル。
【請求項５】
前記部材は、プラスチックであることを特徴とする請求項４に記載のランドセル。
【考案の詳細な説明】
【技術分野】
【０００１】
本考案は、教科書、ノート、筆箱等を収容するランドセルに関するものである。
【背景技術】
【０００２】
この種のランドセルとしては、図５に示すように、主収容部としての大襠部１と、この大襠部１の前側に設けられた副収容部としての小襠部２と、この小襠部２の前側に設けられた前段ポケット３とを備えたものが知られている。
【０００３】
大襠部１は、背板１１、左右一対の側板１２、仕切板１３及び底板１４によって箱状に形成されており、教科書、学習ノート、筆箱等の収納が可能になっている。
【０００４】
一方、小襠部２は、上記仕切板１３、左右一対の側板２２、前板２３及び底板２４によって厚さの薄い箱状に形成されており、例えば教師と保護者等との間で利用する連絡帳等を教科書やノート等と区別して収容することが可能になっている。即ち、小襠部２は、必要なものを他のものと明確に区別して収容することができるものとなっている。
【先行技術文献】
【特許文献】
【０００５】
【特許文献１】特開２００９−０７７８８４号公報
【考案の概要】
【考案が解決しようとする課題】
【０００６】
しかしながら、従来のランドセルにおいては、小襠部２が厚さの薄い箱状のもので形成されているので、例えば鉛筆や鍵等の小物を小襠部２に入れてしまうと、後で取り出すのが困難になるという問題があり、また厚手の筆箱については小襠部２に挿入しにくいという問題があった。一方、大襠部１にある程度の挿入空間が残っているが、その挿入空間には厚手の筆箱が入らないという場合がある。その場合には、筆箱については多少無理をしてでも小襠部２に入れ、連絡帳については大襠部２の余った空間に入れることになるが、そうすると、連絡帳が他の学習用のノート等と区別しにくくなるという問題がある。
【０００７】
本考案は、上記事情に鑑みてなされたものであり、大襠部と小襠部とを一体化して大容量大襠部を構成することで収容効率の向上を図り、大容量大襠部内に設けた収納ケースを用いて必要な物を明確に区別することのできるランドセルを提供することを課題としている。
【課題を解決するための手段】
【０００８】
上記課題を解決するため、請求項１に記載の考案は、主収容部としての大襠部と、この大襠部の前側に設けられた副収容部としての小襠部とを備えたランドセルにおいて、前記大襠部と前記小襠部とを一体化して一つの箱状の大容量大襠部を構成してなり、前記大容量大襠部に、当該大容量大襠部から取り出し可能に収納ケースを設けたことを特徴としている。
【０００９】
請求項２に記載の考案は、請求項１に記載の考案において、前記収納ケースは、開閉可能に構成されていると共に、閉じた状態において四角形状の板状に構成されており、当該閉じた状態で前記大容量大襠部内に収容された状態において当該大容量大襠部内を前後方向に仕切るように、当該閉じた状態の縦、横及び厚さの各寸法が設定されていることを特徴としている。
【００１０】
請求項３に記載の考案は、請求項１又は２に記載の考案において、前記収納ケースは、少なくとも一のＡ４サイズのノートを収納可能なように閉じた状態の縦、横及び厚さの各寸法が設定されていることを特徴としている。
【００１１】
請求項４に記載の考案は、請求項１〜３の何れかに記載の考案において、前記収納ケースは、収納された物を外から視認可能な部材によって形成されていることを特徴としている。
【００１２】
請求項５に記載の考案は、請求項４に記載の考案において、前記部材は、プラスチックであることを特徴としている。
【考案の効果】
【００１３】
請求項１に記載の考案によれば、大襠部と小襠部とを一体化することによって一つの箱状に形成された大容量大襠部を構成しているので、大襠部と小襠部とを個々に設けた場合に比して、デッドスペースの発生を抑えることができ、収容効率の向上を図ることができる。また、小襠部のような厚さの薄い箱状の空間がなくなるので、その空間内に入った鉛筆や鍵等の小物が取り出しにくくなるのも防止することができる。
【００１４】
また、大容量大襠部に対して取り出しが可能な収納ケースを設けているので、連絡帳のような他の物と区別しておきたい物については、当該他の物と明確に区別して収納ケース内に入れておくことができる。しかも、その区別した物は、収納ケースごと保護者に手渡すことができるという利点がある。
【００１５】
請求項２に記載の考案によれば、収納ケースが大容量大襠部内を前後方向に仕切るように縦、横及び厚さの各寸法が設定されているので、当該収納ケースを大容量大襠部内の仕切板として用いることができると共に、当該収納ケースの占める容量を最小限にして、大容量大襠部内の収納空間を有効に利用することができる。また、収納ケースが大容量大襠部内を何等拘束されることなく前後方向に移動可能であるので、収納ケースが固定されることによって生じるようなデッドスペースが発生することもない。
【００１６】
請求項３に記載の考案によれば、収納ケースが少なくとも一のＡ４サイズのノートを収納可能なように縦、横及び厚さの各寸法が設定されているので、大容量大襠部内における収納ケースの占める容量を更に低減することができる。
【００１７】
請求項４に記載の考案によれば、収納ケースが外から視認可能な部材によって形成されているので、当該収納ケース内に連絡帳等が収容されているか否かを容易に確認することができる。
【００１８】
請求項５に記載の考案によれば、上記部材がプラスチックによって形成されているので、収納ケースのコストの低減、軽量化及び耐久性の向上等を図ることができる。
【図面の簡単な説明】
【００１９】
【図１】本考案の一実施例として示したランドセルの正面図である。
【図２】同ランドセルにおける大容量大襠部の開口部を示す平面図である。
【図３】同ランドセルの収納ケースについて閉じた状態を示す図であって、（ａ）は正面図、（ｂ）は左側面図、（ｃ）は右側面図、（ｄ）は（ａ）のＤ−Ｄ線に沿う断面図、（ｅ）は底面図である。
【図４】同ランドセルの収納ケースを示す図であって、（ａ）はヒンジ部を介してほぼ１８０まで開いた状態の斜視図であり、（ｂ）は一方の容器部に設けたフック部の要部斜視図、（ｃ）は他方の容器部に設けた係止ピンの要部斜視図、（ｄ）はフック部を係止ピンに係止させた状態の要部斜視図である。
【図５】従来例として示したランドセルの正面図である。
【考案を実施するための形態】
【００２０】
以下、本考案を実施するための形態について一実施例に基づいて詳細に説明する。なお、従来例で示した構成要素と共通する要素には同一の符号を付し、その説明を簡略化する。
【実施例】
【００２１】
この実施例で示すランドセルは、図１及び図２に示すように、従来例（図５）で示した大襠部１及び小襠部２とを一体化してなる一つの箱状に構成した大容量大襠部４を備え、当該大容量大襠部４に収納ケース５を設けたものとなっている。収納ケース５は、大容量大襠部４に対して挿入及び取り出しが可能になっている。
【００２２】
この場合、大容量大襠部４は、背板１１、左右一対の側板４１、前板４２及び底板４３によって箱状に形成されている。前段ポケット３は、前板４２の前側に設けられている。
【００２３】
前記収納ケース５は、図３及び図４に示すように、一方の容器部５１と、他方の容器部５２とが後述するヒンジ部５３を介して互いに開閉可能に構成されたものであり、閉じた状態において四角形状の板状に形成されるようになっている。この収納ケース５は、その閉じた状態で大容量大襠部４内に収容された状態において当該大容量大襠部４内を前後方向に仕切るように、縦、横及び厚さの各寸法が設定されている。なお、一方の容器部５１と他方の容器部５２とは、略１８０度まで開くようになっている。
【００２４】
また、一方の容器部５１は、長方形状の平板部５１ａと、その周縁部から立ち上がる帯状の側面板５１ｂとによって浅い容器状に形成されている。他方の容器部５２も、一方の容器部５１と同様に、平板部５２ａ及び側面板５２ｂによって浅い容器状に形成されている。なお、各平板部５１ａ、５２ａには、直線状に延びる補強部Ａが複数（この実施例では４本）形成されている。この補強部Ａは、各平板部５１ａ、５２ａの一部を僅かに凹状に形成したもので構成されている。
【００２５】
また、一方及び他方の容器部５１、５２は、図４（ａ）に示すように、その長手方向に位置する互いに隣り合う側面板５１ｂ、５２ｂに設けたヒンジ部５３によって連結されている。ヒンジ部５３は、一方及び他方の容器部５１、５２をプラスチックで一体に成形する際に同時に成形されたものであり、当該プラスチックによって薄い膜状に形成されている。
【００２６】
更に、一方の容器部５１には、ヒンジ部５３が形成された側と反対側の側面板５１ｂの二箇所の位置にフック部５４が設けられている。このフック部５４は、図４（ｂ）に示すように、薄膜状のヒンジ部５４ａを介して一方の容器部５１の側面板５１ｂに一体に形成されている。
【００２７】
また、他方の容器部５２には、図４（ａ）及び（ｃ）に示すように、ヒンジ部５３が形成された側と反対側の側面板５２ｂの二箇所の各位置に一対の係止ピン５５が設けられている。この係止ピン５５は、図４（ｃ）及び（ｄ）に示すように、容器部５１、５２を閉じた状態において、フック部５４が係止可能となるように、側面板５２ｂの所定の位置に設けられており、フック部５４が係止することで、容器部５１、５２を閉じた状態に維持するようになっている。この係止ピン５５は、他方の容器部５２の側面板５２ｂに一体に形成されている。
【００２８】
なお、フック部５４及び係止ピン５５については、互いに係止した状態において、側面板５１ｂ、５２ｂから外側に突出しないように、当該側面板５１ｂ、５２ｂにおける凹状に形成された部分に設けられている。
【００２９】
このように構成された収納ケース５は、その閉じた状態における縦、横及び厚さの各寸法が少なくとも一のＡ４サイズのノートを収納可能なように設定されている。なお、Ａ４サイズは、日本工業規格Ａ列４番に相当するものであり、縦×横の寸法が２９７ｍｍ×２１０ｍｍとなっている。収納ケース５は、このＡ４サイズの少なくとも一のノートが収納可能なように、その閉じた状態における内側の縦、横及び厚さの各寸法が設定されていると共に、大容量大襠部４に挿入されて前後方向の仕切板となるように外側の縦、横及び厚さの各寸法が設定されている。また、収納ケース５は、大容量大襠部４内において前後方向に移動可能でもある。
【００３０】
そして、収納ケース５は、一方の容器部５１、他方の容器部５２、ヒンジ部５３、フック部５４及び係止ピン５５が同一のプラスチック（この実施例ではポリプロピレン）によって一体に形成されている。また、このプラスチックは、収納ケース５の内部を外から視認可能なようにある程度以上の透明性を有する部材である。
【００３１】
また、図１において、６は、大容量大襠部４の開口部から前段ポケット３に係る部分を開閉するための冠である。図２は、その冠６を開いた後の、大容量大襠部４の開口部を示す平面図を示している。
【００３２】
上記のように構成されたランドセルにおいては、大襠部と小襠部とを一体化して一つの箱状に形成された大容量大襠部４を構成しているので、大襠部と小襠部とを個々に設けた場合に比して、デッドスペースの発生を抑えることができ、収容効率の向上を図ることができる。また、小襠部のような厚さの薄い箱状の空間がなくなるので、その空間内に入った鉛筆や鍵等の小物が取り出しにくくなるのも防止することができる。
【００３３】
また、大容量大襠部４に対して取り出しが可能な収納ケース５を設けているので、連絡帳のような他の物と区別しておきたい物については、当該他の物と明確に区別して収納ケース５内に入れておくことができる。しかも、その区別した物は、収納ケース５ごと保護者等に手渡すことができる利便性がある。
【００３４】
更に、収納ケース５が大容量大襠部４内を前後方向に仕切るように閉じた状態の縦、横及び厚さの各寸法が設定されているので、当該収納ケース５を大容量大襠部４内の仕切板として用いることができると共に、当該収納ケース５の締める容量を最小限にして、大容量大襠部４内の収納空間を有効に利用することができる。
【００３５】
また、収納ケース５が少なくとも一のＡ４サイズのノートを収納可能なように縦、横及び厚さの各寸法が設定されているので、大容量大襠部４内における収納ケース５の占める容量を更に低減することができる。しかも、収納ケース５が大容量大襠部４内を前後方向に移動可能であるので、収納ケース５が固定されることによって生じるようなデッドスペースが発生することもない。
【００３６】
更に、収納ケース５が外から視認可能なプラスチックによって形成されているので、当該収納ケース５内に連絡帳等が収容されているか否かを容易に確認することができる利点がある。また、収納ケース５をプラスチックで形成することにより、当該収納ケース５のコストの低減、軽量化及び耐久性の向上等を図ることができる。
【００３７】
なお、上記実施例においては、一つの小襠部を大襠部に合体させることによって、大容量大襠部４を構成した例を示したが、２以上の小襠部を大襠部に合体させることによって、大容量大襠部を構成するようにしてもよい。
また、収納ケース５については、内部を視認可能な透明性を有するプラスチックによって形成した例を示したが、例えば網状その他の部材であって収納された物を外から視認可能な部材で形成したものであってもよい。
【符号の説明】
【００３８】
４  大容量大襠部
５  収納ケース
【図１】
0003172831.tif 000003
【図２】
0003172831.tif 000004
【図３】
0003172831.tif 000005
【図４】
0003172831.tif 000006
【図５】
0003172831.tif 000007